(57)【特許請求の範囲】
【請求項１】
画像表示装置にデジタル方式の放送を受信するチューナモジュールを外付けし、デジタル放送を１セグメント放送で受信しているときに緊急放送が発生すると、これを検知して複数セグメント放送の受信に切り換えることを特徴とする放送受信方法。
【請求項２】
前記複数セグメント放送は、４セグメントの標準画質放送または１２セグメントの高品位画質放送であることを特徴とする請求項１に記載の放送受信方法。
【請求項３】
前記画像表示装置は、ディスプレイを備えたパーソナルコンピュータであることを特徴とする請求項１または請求項２に記載の放送受信方法。
【請求項４】
デジタル方式の放送を受信するチューナモジュールと、前記チューナモジュールを接続可能で、かつ、そのチューナモジュールからのデジタル方式の放送信号を入力してデジタル方式の放送を視聴可能な画像表示装置と、を備えて成り、デジタル放送を１セグメント放送で受信しているときに緊急放送が発生すると、これを検知して複数セグメント放送の受信に切り換えることを特徴とする放送受信システム。
【請求項５】
前記複数セグメント放送は、４セグメントの標準画質放送または１２セグメントの高品位画質放送であることを特徴とする請求項４に記載の放送受信システム。
【請求項６】
前記画像表示装置は、ディスプレイを備えたパーソナルコンピュータであることを特徴とする請求項４または請求項５に記載の放送受信システム。
【請求項７】
デジタル方式の放送を受信するチューナモジュールを内蔵し、デジタル放送を１セグメント放送で受信しているときに緊急放送が発生すると、これを検知して複数セグメント放送の受信に切り換えることを特徴とするパーソナルコンピュータ。
【請求項８】
前記複数セグメント放送は、４セグメントの標準画質放送または１２セグメントの高品位画質放送であることを特徴とする請求項７に記載のパーソナルコンピュータ。
【請求項９】
モニタを備えたパーソナルコンピュータと通信可能に接続され、デジタル方式のテレビジョン放送を受信して前記モニタに出力する放送受信装置であって、
１セグメント放送及び複数セグメント放送の一方を選択して受信する受信手段と、
前記受信手段を介して、受信可能な緊急放送があるか否かを判定する放送判定手段と、
前記放送判定手段によって受信可能な緊急放送があると判定された場合に、前記受信手段に対して複数セグメント放送を受信させる受信形態変更手段と、
を備えることを特徴とする放送受信装置。
【請求項１０】
モニタを備えたパーソナルコンピュータと通信可能に接続され、デジタル方式のテレビジョン放送を受信して前記モニタに出力する放送受信装置であって、
１セグメント放送及び複数セグメント放送の一方を選択して受信する受信手段と、
前記受信手段を介して受信可能な緊急放送があるか否かを判定する放送判定手段と、
前記放送判定手段によって受信可能な緊急放送があると判定された場合に、複数セグメント放送を受信し、前記受信手段を介して緊急放送に含まれる文字情報を取得する文字取得手段と、
前記文字取得手段によって取得された文字情報を、前記モニタに、予め設定された所定の領域に、予め設定された文字サイズで表示するべく前記パーソナルコンピュータに対して指示情報を出力する文字表示制御手段と、
を備えることを特徴とする放送受信装置。
【発明の詳細な説明】
【技術分野】
【０００１】
本発明は、デジタル放送の受信が可能な放送受信方法、放送受信システム、パーソナルコンピュータ、及び、放送受信装置（チューナモジュール）に関する。
【背景技術】
【０００２】
近年、パーソナルコンピュータに高度なＡＶ［Audio Visual］機能が搭載されているため、ＴＶ放送受信用のチューナモジュールを接続することによって、ディスプレイ上に放送番組コンテンツを表示させて視聴することが可能となり、また、放送番組コンテンツをＨＤＤ（ハードディスクドライブ）等の記録媒体に録画することが可能になっている。
【０００３】
また、ＴＶ放送は、アナログ放送からデジタル放送に移行しつつあり、パーソナルコンピュータに接続して使用されるチューナモジュールについても、デジタル放送受信用の機種が実用化され始めている。
【０００４】
日本の地上デジタル放送では、１つのチャンネルが１３の「セグメント」に分割されており、これをいくつか束ねて映像やデータ、音声などを送信している。例えば、ハイビジョン放送は１２セグメント必要だが、標準画質の放送は４セグメントで済むため、３つの異なる番組を１つのチャンネルで同時に放送することもできる。
【０００５】
なお、地上デジタル放送のハイビジョン放送では、映像の符号化規格として、ＭＰＥＧ［Moving Picture Expert Group］−２が採用されており、また、音声の符号化規格としては、ＡＡＣ［Advanced Audio Coding］が採用されている。また、ハイビジョン放送には、データ放送も多重化されている。
【０００６】
上記のセグメントのうち、１つを使用して放送を行うのが１セグメント放送（いわゆる１セグ放送）である。１セグメント放送では、帯域が通常放送の１／４と狭いため、ＱＶＧＡ［Quarter Video Graphics Array］（３２０×２４０ピクセル）サイズの低解像度の映像しか伝達できないが、１２セグメントを使用するハイビジョン放送に比べ、携帯電話などの移動体で受信しやすいという特徴がある。
【０００７】
１セグメント放送では、通常の地上波放送と同じ番組を同時に流すサイマル放送が主に行われている。また、１セグメント放送では、映像の符号化規格として、Ｈ．２６４（ＭＰＥＧ−４  ＡＶＣ［Advanced Video Coding］）が採用されており、音声の符号化規格としては、先述のＡＡＣが採用されている。また、１セグメント放送にも、データ放送が多重化されている。
【０００８】
なお、パーソナルコンピュータ用の外付けチューナモジュールは、１セグメント放送用のチューナモジュールが主流であるが、将来的には、４セグメント放送用や１２セグメント放送用の外付けチューナモジュールについても実用化が進むと考えられる。
【０００９】
上記に関連する従来技術としては、例えば、受信したデジタル放送信号を選局、復調、符号誤り訂正して放送番組コンテンツを生成し、暗号化してパーソナルコンピュータに伝送すると共に、デジタル放送信号に多重化されている認証パラメータを用いてパーソナルコンピュータと相互認証を行うチューナモジュールを備えたデジタル放送受信装置が開示されている（特許文献１参照）。
【特許文献１】特開２００６−７４６８６号公報
【発明の開示】
【発明が解決しようとする課題】
【００１０】
しかしながら、上記デジタル放送受信装置においては、１セグメント放送が受信されている状態（又は、映像がディスプレイの狭い領域に表示されている状態）で、緊急放送が受信された場合には、緊急放送で放送される文字情報等の視認性が充分ではない場合があった。すなわち、１セグメント放送が受信されている状態では、画質が充分ではないために、緊急放送で放送される文字情報等の視認性が充分ではない場合があり、また、映像がディスプレイの狭い領域に表示されている状態では、表示される文字情報が小さいため、緊急放送で放送される文字情報等の視認性が充分ではない場合があった。
【００１１】
すなわち、１セグメント放送受信中に、緊急放送が発生した場合、１セグメント放送では、画面の表示領域が狭いため、緊急情報の発生そのものに気がつきにくく、また、緊急放送の内容自体を確認するときに、１２セグメント放送と比較して、情報が非常に少なくなることが予想される。
【００１２】
本発明は、上記課題に鑑みてなされたものであって、緊急放送の文字情報等の視認性を確保することが可能な放送受信方法、放送受信システム、パーソナルコンピュータ、並びに、放送受信装置を提供することを目的としている。
【課題を解決するための手段】
【００１３】
上記目的を達成するために、本発明に係る放送受信方法は、画像表示装置にデジタル方式の放送を受信するチューナモジュールを外付けし、デジタル放送を１セグメント放送で受信しているときに緊急放送が発生すると、これを検知して複数セグメント放送の受信に切り換える、或いは、前記緊急放送に含まれる文字情報のみを抽出してその拡大表示を行う構成（第１の構成）とされている。
【００１４】
なお、上記第１の構成から成る放送受信方法において、前記複数セグメント放送は、４セグメントの標準画質放送または１２セグメントの高品位画質放送である構成（第２の構成）にするとよい。
【００１５】
また、上記第１または第２の構成から成る放送受信方法にて、前記画像表示装置は、ディスプレイを備えたパーソナルコンピュータである構成（第３の構成）にするとよい。
【００１６】
また、本発明に係る放送受信システムは、デジタル方式の放送を受信するチューナモジュールと、前記チューナモジュールを接続可能で、かつ、そのチューナモジュールからのデジタル方式の放送信号を入力してデジタル方式の放送を視聴可能な画像表示装置と、を備えて成り、デジタル放送を１セグメント放送で受信しているときに緊急放送が発生すると、これを検知して複数セグメント放送の受信に切り換える、或いは、前記緊急放送に含まれる文字情報のみを抽出してその拡大表示を行う構成（第４の構成）とされている。
【００１７】
なお、上記第４の構成から成る放送受信システムにて、前記複数セグメント放送は、４セグメントの標準画質放送または１２セグメントの高品位画質放送である構成（第５の構成）にするとよい。
【００１８】
また、上記第４または第５の構成から成る放送受信システムにおいて、前記画像表示装置は、ディスプレイを備えたパーソナルコンピュータである構成（第６の構成）にするとよい。
【００１９】
また、本発明に係るパーソナルコンピュータは、デジタル方式の放送を受信するチューナモジュールを内蔵し、デジタル放送を１セグメント放送で受信しているときに緊急放送が発生すると、これを検知して複数セグメント放送受信に切り換える、或いは、前記緊急放送に含まれる文字情報のみを抽出してその拡大表示を行う構成（第７の構成）とされている。
【００２０】
なお、上記第７の構成から成るパーソナルコンピュータにおいて、前記複数セグメント放送は、４セグメントの標準画質放送または１２セグメントの高品位画質放送である構成（第８の構成）にするとよい。
【００２１】
また、本発明に係る放送受信装置は、モニタを備えたパーソナルコンピュータと通信可能に接続され、デジタル方式のテレビジョン放送を受信して前記モニタに出力する放送受信装置であって、１セグメント放送及び複数セグメント放送の一方を選択して受信する受信手段と、前記受信手段を介して、受信可能な緊急放送があるか否かを判定する放送判定手段と、前記放送判定手段によって受信可能な緊急放送があると判定された場合に、前記受信手段に対して複数セグメント放送を受信させる受信形態変更手段と、を有して成る構成（第９の構成）とされている。
【００２２】
なお、上記第９の構成から成る放送受信装置において、前記複数セグメント放送は、４セグメントの標準画質放送または１２セグメントの高品位画質放送である構成（第１０の構成）にするとよい。
【００２３】
また、上記第１０の構成から成る放送受信装置において、前記放送判定手段は、ＴＭＣＣ［Transmission and Multiplexing Configuration Control］に基づいて、受信可能な緊急放送がある否かを判定する構成（第１１の構成）にするとよい。
【００２４】
また、上記第９〜第１１いずれかの構成から成る放送受信装置は、前記放送判定手段によって受信可能な緊急放送があると判定された場合に、前記モニタに予め設定された所定の領域に受信された映像を表示するべく前記パーソナルコンピュータに対して指示情報を出力する映像表示制御手段を備える構成（第１２の構成）にするとよい。
【００２５】
また、上記第９〜第１２いずれかの構成から成る放送受信装置は、前記放送判定手段によって受信可能な緊急放送があると判定された場合に、受信可能な緊急放送がある周波数帯域であるチャンネルを特定するチャンネル特定手段を備える構成（第１３の構成）にするとよい。
【００２６】
また、上記第１３の構成から成る放送受信装置において、前記チャンネル特定手段は、前記受信手段によって受信されたＰＭＴ［Program Map Table］に基づいて受信可能な緊急放送が放送されているチャンネルを特定する構成（第１４の構成）にするとよい。
【００２７】
また、上記第１３または第１４の構成から成る放送受信装置は、前記受信手段に対し、前記チャンネル特定手段によって特定されたチャンネルに設定させるチャンネル設定手段を備える構成（第１５の構成）にするとよい。
【００２８】
また、上記第９〜第１５いずれかの構成から成る放送受信装置は、前記放送判定手段によって受信可能な緊急放送があると判定された場合に、前記受信手段を介して緊急放送に含まれる文字情報を取得する文字取得手段と、前記文字取得手段によって取得された文字情報を、前記モニタに、予め設定された所定の領域に、予め設定された文字サイズで表示するべく前記パーソナルコンピュータに対して指示情報を出力する文字表示制御手段と、を備える構成（第１６の構成）にするとよい。
【００２９】
或いは、本発明に係る放送受信装置は、モニタを備えたパーソナルコンピュータと通信可能に接続され、デジタル方式のテレビジョン放送を受信して前記モニタに出力する放送受信装置であって、１セグメント放送及び複数セグメント放送の一方を選択して受信する受信手段と、前記受信手段を介して、受信可能な緊急放送があるか否かを判定する放送判定手段と、前記放送判定手段によって受信可能な緊急放送があると判定された場合に、前記受信手段を介して緊急放送に含まれる文字情報を取得する文字取得手段と、前記文字取得手段によって取得された文字情報を、前記モニタに、予め設定された所定の領域に、予め設定された文字サイズで表示するべく前記パーソナルコンピュータに対して指示情報を出力する文字表示制御手段と、を備える構成（第１７の構成）とされている。
【００３０】
なお、上記第１７の構成から成る放送受信装置において、前記文字取得手段は、前記受信手段によって１セグメント放送が受信されている場合に限って、前記受信手段を介して緊急放送に含まれる文字情報を取得する構成（第１８の構成）にするとよい。
【発明の効果】
【００３１】
本発明に係る放送受信方法、放送受信システム、パーソナルコンピュータによれば、デジタル放送を１セグメント放送で受信しているときに緊急放送が発生すると、これを検知して複数セグメント放送の受信に切り換える、或いは、前記緊急放送に含まれる文字情報のみを抽出してその拡大表示を行うことができるので、緊急放送の文字情報等の視認性を確保することが可能となる。
【００３２】
また、上記第９の構成から成る放送受信装置によれば、受信手段によって、１セグメント放送及び複数セグメント放送の一方が選択して受信され、受信手段を介して、受信可能な緊急放送があるか否かが判定される。そして、受信可能な緊急放送があると判定された場合に、受信手段を介して複数セグメント放送が受信されるため、画質が充分な映像を表示することが可能となり、緊急放送の文字情報等の視認性を確保することが可能となる。
【００３３】
また、上記第１０の構成から成る放送受信装置によれば、複数セグメント放送が、４セグメントの標準画質放送または１２セグメントの高品位画質放送であるため、緊急放送の文字情報等の視認性を確保することが可能となる。
【００３４】
すなわち、受信可能な緊急放送があると判定された場合に、４セグメントの標準画質放送または１２セグメントの高品位画質放送が受信されるため、緊急放送の文字情報等の視認性を確保することが可能となるのである。
【００３５】
また、上記第１１の構成から成る放送受信装置によれば、ＴＭＣＣに基づいて、受信可能な緊急放送がある否かが判定されるため、緊急放送がある否かを正確に判定することができる。
【００３６】
すなわち、ＴＭＣＣに基づいて、受信可能な緊急放送がある否かが判定され、ＴＭＣＣには、緊急放送が行われているか否かを示す情報が含まれているため、緊急放送がある否かを正確に判定することができるのである。
【００３７】
また、上記第１２の構成から成る放送受信装置によれば、受信可能な緊急放送があると判定された場合に、モニタに予め設定された所定の領域に受信された映像を表示するべくパーソナルコンピュータに対して指示情報が出力されるため、緊急放送の文字情報等の視認性を確保することができる。
【００３８】
すなわち、受信可能な緊急放送があると判定された場合に、モニタに予め設定された所定の領域に受信された映像を表示するべくパーソナルコンピュータに対して指示情報が出力されるため、予め設定された所定の領域を、視認性を確保するために必要な充分に広い領域に設定しておくことによって、緊急放送の文字情報等の視認性を確保することができるのである。
【００３９】
つまり、受信可能な緊急放送があると判定された場合に、画質が充分な映像が充分に広い領域に拡大表示されるため、緊急放送の文字情報等の視認性を確保することができるのである。
【００４０】
また、上記第１３の構成から成る放送受信装置によれば、受信可能な緊急放送があると判定された場合に、受信可能な緊急放送がある周波数帯域であるチャンネルが特定されるため、緊急放送を視聴することが可能となる。
【００４１】
すなわち、受信可能な緊急放送があると判定された場合に、受信可能な緊急放送がある周波数帯域であるチャンネルが特定されるため、ユーザが特定されたチャンネルを選択する等によって、緊急放送を視聴することができるのである。
【００４２】
また、上記第１４の構成から成る放送受信装置によれば、受信手段によって受信されたＰＭＴに基づいて受信可能な緊急放送が放送されているチャンネルが特定されるため、正確に緊急放送が放送されているチャンネルを特定することができる。
【００４３】
すなわち、受信手段によって受信されたＰＭＴに基づいて受信可能な緊急放送が放送されているチャンネルが特定され、ＰＭＴには、緊急放送が放送されているチャンネルを示す情報が含まれているため、正確に緊急放送が放送されているチャンネルを特定することができるのである。
【００４４】
また、上記第１５の構成から成る放送受信装置によれば、受信手段に対して、緊急放送が放送されているチャンネルに設定されるため、緊急放送が放送されているチャンネルをユーザが選択する必要がないので、利便性良好に緊急放送を視聴することができる。
【００４５】
また、上記第１６の構成から成る放送受信装置によれば、受信可能な緊急放送があると判定された場合に、受信手段を介して緊急放送に含まれる文字情報が取得され、取得された文字情報をモニタに予め設定された所定の領域に予め設定された文字サイズで表示するべくパーソナルコンピュータに対して指示情報が出力されるため、緊急放送の文字情報の視認性を更に確実に確保することができる。
【００４６】
すなわち、受信可能な緊急放送があると判定された場合に、受信手段を介して緊急放送に含まれる文字情報が取得され、取得された文字情報をモニタに予め設定された所定の領域に予め設定された文字サイズで表示するべくパーソナルコンピュータに対して指示情報が出力されるため、所定の領域を充分な広さの領域に設定し、表示する文字サイズを充分な大きさに設定することによって、緊急放送の文字情報の視認性を更に確実に確保することができるのである。
【００４７】
また、上記第１７の構成から成る放送受信装置によれば、受信手段によって、１セグメント放送及び複数セグメント放送の一方が選択して受信され、受信手段を介して、受信可能な緊急放送があるか否かが判定される。そして、受信可能な緊急放送があると判定された場合に、受信手段を介して緊急放送に含まれる文字情報が取得され、取得された文字情報を、モニタに予め設定された所定の領域に予め設定された文字サイズで表示するべくパーソナルコンピュータに対して指示情報が出力されるため、緊急放送の文字情報の視認性を確保することができる。
【００４８】
すなわち、受信可能な緊急放送があると判定された場合に、受信手段を介して緊急放送に含まれる文字情報が取得され、取得された文字情報をモニタに予め設定された所定の領域に予め設定された文字サイズで表示するべくパーソナルコンピュータに対して指示情報が出力されるため、所定の領域を充分な広さの領域に設定し、表示する文字サイズを充分な大きさに設定することによって、緊急放送の文字情報の視認性を確保することができるのである。
【００４９】
また、上記第１８の構成から成る放送受信装置によれば、受信手段によって１セグメント放送が受信されている場合に限って、受信手段を介して緊急放送に含まれる文字情報が取得されるため、緊急放送の視認性を確保するために要する処理の負荷を軽減することができる。
【００５０】
すなわち、受信手段によって複数セグメント放送を受信している場合には、映像を視認することによって緊急放送の文字情報等の視認性を確保することができるため、この場合には、緊急放送に含まれる文字情報が取得されないので、緊急放送の視認性を確保するために要する処理の負荷を軽減することができるのである。
【発明を実施するための最良の形態】
【００５１】
以下に本発明の実施形態を、図面を参照しながら説明する。図１は、本発明に係るデジタル放送受信機の構成の一例を示す構成図である。デジタル放送受信機１（放送受信装置に相当する）は、外付けチューナモジュールであり、パーソナルコンピュータ２と通信可能に接続されている。
【００５２】
デジタル放送受信機１は、パーソナルコンピュータ２を介してユーザからの操作入力を受け付けて、受け付けた操作入力に基づいて、デジタル方式のテレビジョン放送を受信して、受信された映像情報及び音声情報等をパーソナルコンピュータ２に対して出力するものである。
【００５３】
また、デジタル放送受信機１は、受信部１１、ＣＰＵ１２、ＲＡＭ１３、ＵＳＢインターフェイス部１４、カードインターフェイス部１５、及び、バス１６を備えている。
【００５４】
受信部１１（受信手段に相当する）は、デジタル方式のテレビジョン放送を受信して復調し、復調した情報にデスクランブル処理や暗号化処理を施すことで生成したトランスポートストリーム（以下、ＴＳ［Transport Stream］と呼ぶ）をＵＳＢインターフェイス部１４を介してパーソナルコンピュータ２に出力するものであって、アンテナ部１１１、チューナ部１１２、復調部１１３、デスクランブル処理部１１４、及び、暗号化部１１５を備えている。また、受信部１１は、パーソナルコンピュータ２のＣＰＵ２３（図２を用いて後述する受信形態変更部２３４）から、ＣＰＵ１２を介して伝達される指示に従って、１セグメント放送（以下、「１セグ放送」という）、及び、複数セグメント放送の一方を選択して受信するものである。
【００５５】
なお、上記した複数セグメント放送の一例としては、４セグメントの標準画質放送（ＳＤ［Standard Definition Television］放送）、若しくは、１２セグメントの高品位画質放送（ＨＤ［High Definition Television］放送、いわゆるハイビジョン放送）を挙げることができる。
【００５６】
アンテナ部１１１は、テレビジョン放送波（例えば地上デジタル放送波）を受信するものである。チューナ部１１２は、アンテナ部１１１で受信されたテレビジョン放送波からパーソナルコンピュータ２を介して予め設定された目的のチャンネルの放送を選局するものである。ここで選局された信号には、１セグ放送と複数セグメント放送が多重されており、どちらかを選択することが可能である。復調部１１３は、チューナ部１１２により選局された信号を復調し、誤り符号訂正処理等を施すものである。
【００５７】
デスクランブル処理部１１４は、復調部１１３から出力される出力情報が、スクランブル処理を施された情報である場合（例えば、受信される放送が有料のスクランブル放送である場合）に、カードインターフェイス部１５に装着されたＩＣカード３に格納された情報に基づいて、復調部１１３から出力される出力情報にデスクランブル処理を施すものである。暗号化部１１５は、デスクランブル処理部１１４から出力される出力情報に、予め設定された所定の暗号化処理（例えば、ＤＥＳ［Data Encryption Standard］や、ＡＥＳ［Advanced Encryption Standard］に基づく暗号化処理）を施し、ＵＳＢインターフェイス部１４を介してパーソナルコンピュータ２に出力するものである。
【００５８】
ＣＰＵ［Central Processing Unit］１２は、パーソナルコンピュータ２から与えられる指令に基づいて、デジタル放送受信機１全体の動作を制御するものである。また、ＣＰＵ１２は、デジタル放送受信機１とパーソナルコンピュータ２との相互認証処理も行う。ＲＡＭ［Random Access Memory］１３は、チャンネル情報等の種々の情報を格納するものである。ＵＳＢ［Universal Serial Bus］インターフェイス部１４は、ＵＳＢ方式によって、パーソナルコンピュータ２と通信を行うものである。カードインターフェイス部１５は、ＩＣカード３が着脱自在に構成されており、装着されたＩＣカード３から、デスクランブル処理部１１４において用いられる情報（鍵情報等）を読み出すものである。バス１６は、デジタル放送受信機１に配設された各機器間において情報を伝送するものである。
【００５９】
次に、デジタル放送受信機１が放送を受信する場合の動作について説明する。まず、送信されてきたデジタル放送波がアンテナ部１１１で受信される。パーソナルコンピュータ２を介して選局操作が受け付けられた場合には、チューナ部１１２によって受信するトランスポンダ［Transponder］の切り換えが行われる。受信されたデジタル放送波は、復調部１１３によって復調される。復調部１１３によって復調された情報は、デスクランブル処理部１１４によってデスクランブル処理が施され、暗号化部１１５によって、暗号化処理が施されて、ＵＳＢインターフェイス部１４を介してパーソナルコンピュータ２に出力される。
【００６０】
一方、パーソナルコンピュータ２は、デジタル放送受信機１から入力された音声情報及び映像情報にそれぞれ対応する音声及び映像を出力するものであって、インターフェイスコントローラ２０、ディスプレイ２１、スピーカ２２、ＣＰＵ２３、メモリ２４、ＨＤＤ２５、キーボード２６、Ｉ／Ｏコントローラ２７、ＰＣＩブリッジ２８、及び、バス２９を備えている。
【００６１】
インターフェイスコントローラ２０は、デジタル放送受信機１とパーソナルコンピュータ２との間における信号の授受を制御する手段である。
【００６２】
ディスプレイ２１（モニタに相当する）は、ＬＣＤ［Liquid Crystal Display］、ＰＤＰ［Plasma Display Panel］等を備え、デジタル放送受信機１から入力された映像情報に対応する映像を外部から視認可能に表示するものである。表示コントローラ２１１は、デジタル放送受信機１から入力された映像情報に対応する映像をディスプレイ２１に表示するものである。ＶＲＡＭ２１２は、表示コントローラ２１１で処理される表示データを一時的に記憶する手段である。スピーカ２２は、デジタル放送受信機１から入力された音声情報に対応する音声を出力するものである。音声コントローラ２２１は、デジタル放送受信機１から入力された音声情報に対応する音声をスピーカ２２に出力するものである。
【００６３】
ＣＰＵ２３は、パーソナルコンピュータ２全体の動作を制御するものであり、さらにはデジタル放送受信機１を含めたデジタル放送受信システム全体の動作を制御するものである。なお、ＣＰＵ２３からデジタル放送受信機１の各部（例えば受信部１１）に対する指示は、デジタル放送受信機１のＣＰＵ１２を介して、間接的に伝達されるものであるが、本発明の構成はこれに限定されるものではなく、ＣＰＵ２３からデジタル放送受信機１の各部に対して、直接的に指示を伝達する構成としても構わない。
【００６４】
メモリ２４は、ＲＡＭ、ＲＯＭ［Read Only Memory］等からなり、種々の情報を格納するものである。ＨＤＤ［Hard Disk Drive］２５は、デジタル放送受信機１によって受信された映像情報等を格納するものである。
【００６５】
キーボード２６は、テンキー、アルファベットキー等の種々のキーを備え、ユーザからの操作入力を受け付けて、受け付けられた操作入力に対応する信号をＩ／Ｏコントローラ２７を介してＣＰＵ２３に出力するものである。Ｉ／Ｏ［Input/Output］コントローラ２７は、ＨＤＤ２５及びキーボード２６とバス２９との間に介設され、ＣＰＵ２３からの指示に従って、ＨＤＤ２５及びキーボード２６の入出力動作を制御するものである。ＰＣＩ［Peripheral Component Interconnect］ブリッジ２８は、ＣＰＵ２３、表示コントローラ２１１、及び、音声コントローラ２２１をバス２９と接続し、相互に通信できるようにするための回路である。バス２９は、パーソナルコンピュータ２に配設された各機器間において情報を伝送するものである。
【００６６】
放送番組コンテンツの視聴に際して、上記構成から成るパーソナルコンピュータ２は、インターフェイスコントローラ２０を介して、デジタル放送受信機１から暗号化されたＴＳを受け取り、ＣＰＵ２３を用いて、ＨＤＤ２５にインストールされた所定の制御プログラム（デジタル放送受信用のソフトウェア）を実行する。これにより、暗号の復号処理がソフトウェア処理として実施され、その後、デコード処理がソフトウェア処理として実施される。このとき、ＨＤ放送（１２セグメント放送）であれば、ＭＰＥＧ−２デコードが行われ、１セグ放送であれば、Ｈ．２６４デコードが行われる。
【００６７】
なお、上記の説明では、暗号の復号化処理、並びに、デコード処理をソフトウェア処理として実施する構成を例に挙げて説明を行ったが、本発明の構成はこれに限定されるものではなく、専用のハードウェアを追加すれば、ハードウェア処理として上記処理を実施することも可能である。
【００６８】
その後、デコードされたデータには、フィルタリング処理（各種データの選別処理）が施され、映像データは、表示コントローラ２１１に入力された後、ディスプレイ２１に表示される。また、音声データは、音声コントローラ２２１に入力された後、デジタル／アナログ変換処理や増幅処理等を経て、スピーカ２２を鳴動させる。また、放送番組ガイド（ＥＰＧ［Electronic Program Guide］）用のデータは、ＣＰＵ２３で解析された後、不図示のＧＵＩ［Graphical User Interface］処理手段で映像データに多重化され、映像に合成して、ディスプレイ２１に表示される。
【００６９】
一方、放送番組コンテンツの録画時には、上記の動作に加えて、インターフェイスコントローラ２０に入力される暗号化されたＴＳがＩ／Ｏコントローラ２７を経由してＨＤＤ２５に記録される。
【００７０】
また、放送番組コンテンツの再生時には、ＨＤＤ２５に記録されたＴＳがＩ／Ｏコントローラ２７、インターフェイスコントローラ２０、及び、ＵＳＢインターフェイス部１４を介して、デスクランブル処理部１１４に送られ、スクランブルの解除処理が行われる。そして、暗号化処理部１１５では、デスクランブル処理部１１４から出力される出力情報に対する所定の暗号化処理が施された後、ＵＳＢインターフェイス部１４を介してパーソナルコンピュータ２に再出力される。以降、パーソナルコンピュータ２では、上述した放送番組コンテンツの視聴時と同様の処理が行われる。
【００７１】
なお、本発明は、上記のような放送番組コンテンツの視聴動作、録画動作、及び、再生動作に加えて、１セグ放送を受信しているときに緊急放送が発生した場合、より情報量の豊富な複数セグメント放送のデータ形式で視聴するように、自動的にその放送受信形態を切り換えたり、或いは、文字情報の拡大表示（または最大表示）を行う点に特徴を有している。以下では、上記の特徴的動作を実現するための構成について、詳細な説明を行う。
【００７２】
図２は、本発明に係るデジタル放送受信システムにおける主要部の機能構成の一例を示すブロック図である。パーソナルコンピュータ２のＣＰＵ２３は、機能的に、放送判定部２３１、チャンネル特定部２３２、チャンネル設定部２３３、受信形態変更部２３４、映像表示制御部２３５、文字取得部２３６、及び、文字表示制御部２３７を備え、メモリ２４は、機能的に、受信条件記憶部２４１を備えている。
【００７３】
ここでは、ＣＰＵ２３が、ＨＤＤ２５にインストールされた制御プログラムを読み出して実行することにより、放送判定部２３１、チャンネル特定部２３２、チャンネル設定部２３３、受信形態変更部２３４、映像表示制御部２３５、文字取得部２３６、文字表示制御部２３７等の機能部として機能すると共に、メモリ２４を、受信条件記憶部２４１等の機能部として機能させるものである。
【００７４】
また、メモリ２４に格納された各種データのうち、装着脱可能な記録媒体に格納され得るデータは、例えばハードディスクドライブ、光ディスクドライブ、フレキシブルディスクドライブ、シリコンディスクドライブ、カセット媒体読み取り機等のドライブで読み取り可能にしてもよく、この場合、記録媒体は、例えばハードディスク、光ディスク、フレキシブルディスク、ＣＤ［Compact Disc］、ＤＶＤ［Digital Versatile Disc］、半導体メモリ等である。
【００７５】
受信条件記憶部２４１は、放送判定部２３１によって受信可能な緊急放送があると判定された時点で、デジタル放送受信機１の受信部１１（図２では図示せず）に設定されている、１セグメント放送又は複数セグメント放送のどちらを受信するかを示すセグメント情報、及び、受信中のチャンネルを示すチャンネル情報を格納すると共に、パーソナルコンピュータ２のディスプレイ２１において、受信された映像が表示される位置を示す表示位置情報、及び、表示されるサイズを示す表示サイズ情報を格納するものである。
【００７６】
受信条件記憶部２４１に格納されるセグメント情報、チャンネル情報、表示位置情報及び表示サイズ情報は、放送判定部２３１によって書き込まれ、チャンネル設定部２３３、受信形態変更部２３４、及び、映像表示制御部２３５によって読み出されるものである。
【００７７】
放送判定部２３１（放送判定手段に相当する）は、予め設定された所定周期（以下では「確認周期」という：例えば、１０秒周期）で、受信部１１を介して、受信可能な緊急放送があるか否かを判定するものである。より具体的に述べると、放送判定部２３１は、受信部１１を介して受信されるＴＭＣＣ［Transmission and Multiplexing Configuration Control］に基づいて受信可能な緊急放送があるか否かを判定するものである。ここで、ＴＭＣＣには、緊急放送が行われているか否かを示す情報が含まれている。
【００７８】
また、放送判定部２３１は、受信可能な緊急放送がある（＝緊急放送が開始された）と判定した場合には、受信部１１に設定されているセグメント情報及び、チャンネル情報を受信条件記憶部２４１に書き込むと共に、パーソナルコンピュータ２のディスプレイ２１における表示位置情報、及び、表示サイズ情報を受信条件記憶部２４１に書き込むものである。
【００７９】
チャンネル特定部２３２（チャンネル特定手段に相当する）は、放送判定部２３１によって受信可能な緊急放送がある（＝緊急放送が開始された）と判定された場合に、受信可能な緊急放送がある周波数帯域であるチャンネルを特定するものである。具体的には、チャンネル特定部２３２は、受信部１１によって受信されたＰＭＴ［Program Map Table］に基づいて受信可能な緊急放送が放送されているチャンネルを特定するものである。ここで、ＰＭＴには、緊急放送が放送されているチャンネルを示す情報が含まれている。
【００８０】
チャンネル設定部２３３（チャンネル設定手段に相当する）は、放送判定部２３１によって受信可能な緊急放送がある（＝緊急放送が開始された）と判定された場合に、受信部１１に対して、チャンネル特定部２３２によって特定されたチャンネルに設定させるものである。すなわち、チャンネル設定部２３２は、チャンネル特定部２３２によって特定されたチャンネルを、受信部１１を介して受信するべく、受信部１１のチャンネルを設定するものである。
【００８１】
また、チャンネル設定部２３３は、放送判定部２３２によって受信可能な緊急放送がない（＝緊急放送が終了された）と判定された場合に、受信部１１に対して、受信条件記憶部２４１に格納されたチャンネル情報に対応するチャンネル（＝緊急放送を受信する前に設定されていたチャンネル）を設定するものである。
【００８２】
受信形態変更部２３４（受信形態変更手段に相当する）は、放送判定部２３１によって受信可能な緊急放送がある（＝緊急放送が開始された）と判定された場合に、受信部１１に対して、複数セグメント放送（ここでは、ＳＤ放送又はＨＤ放送）を受信させるものである。
【００８３】
また、受信形態変更部２３４は、放送判定部２３１によって受信可能な緊急放送がない（＝緊急放送が終了された）と判定された場合に、受信部１１に対して、受信条件記憶部２４１に格納されたセグメント情報に対応する放送形態（１セグ放送又は複数セグメント放送）で受信させるものである。
【００８４】
映像表示制御部２３５（映像表示制御手段に相当する）は、放送判定部２３１によって受信可能な緊急放送がある（＝緊急放送が開始された）と判定された場合に、ディスプレイ２１に予め設定された所定の領域（ここでは、図６（ｂ）に示すディスプレイ２１の画面右側に設定された映像表示部４３１）に受信された映像を表示するべく、表示コントローラ２１１に対して指示情報を出力するものである。
【００８５】
また、映像表示制御部２３５は、放送判定部２３１によって受信可能な緊急放送がない（＝緊急放送が終了された）と判定された場合に、受信条件記憶部２４１に格納された表示位置情報及び表示サイズ情報に基づき、それぞれ対応する位置及びサイズ（ここでは、図５（ａ）に示すディスプレイ２１の画面右上に設定された映像表示部４０１）で、ディスプレイ２１に映像を表示するべく、表示コントローラ２１１に対して指示情報を出力するものである。
【００８６】
文字取得部２３６（文字取得手段に相当する）は、放送判定部２３１によって受信可能な緊急放送がある（＝緊急放送が開始された）と判定された場合に、受信部１１を介して緊急放送に含まれる文字情報を取得するものである。
【００８７】
文字表示制御部２３７（文字表示制御手段に相当する）は、文字取得部２３６によって取得された文字情報を、ディスプレイ２１に、予め設定された所定の領域に（ここでは、図６（ｂ）に示すディスプレイ２１の画面右上に設定された文字表示部４３２に）予め設定された文字サイズで（例えば、５ｍｍ×５ｍｍのサイズで）表示するべく、表示コントローラ２１１に対して指示情報を出力するものである。
【００８８】
また、文字表示制御部２３７は、放送判定部２３１によって受信可能な緊急放送がない（＝緊急放送が終了された）と判定された場合に、ディスプレイ２１への文字情報の表示を終了するものである。
【００８９】
図３、図４は、デジタル放送受信システム（主にＣＰＵ２３）の動作の一例を示すフローチャートである。ここでは、便宜上、受信部１１は、１セグ放送、及び、１２セグメント放送である高品位画質の放送（＝ＨＤ放送）の一方を選択して受信する場合について説明する。まず、放送判定部２３１によって、確認周期であるか否か（＝緊急放送があるか否かを判定するタイミングであるか否か）の判定が行われる（Ｓ１０１）。
【００９０】
確認周期ではないと判定された場合（Ｓ１０１でＮＯ）は、処理が待機状態とされる。確認周期であると判定された場合（Ｓ１０１でＹＥＳ）は、放送判定部２３１によって、緊急放送が開始されたか否かの判定が行われる（Ｓ１０３）。緊急放送が開始されていないと判定された場合（Ｓ１０３でＮＯ）は、処理がステップＳ１０１に戻され、ステップＳ１０１以降の処理が繰り返し実行される。緊急放送が開始されたと判定された場合（Ｓ１０３でＹＥＳ）には、放送判定部２３１によって、受信部１１に設定されているセグメント情報、チャンネル情報、パーソナルコンピュータ２のディスプレイ２１における表示位置情報、及び、表示サイズ情報が受信条件記憶部２４１に格納される（Ｓ１０５）。
【００９１】
そして、チャンネル特定部２３２によって、緊急放送が開始されたチャンネルが特定される（Ｓ１０７）。次いで、チャンネル設定部２３３によって、ステップＳ１０７において特定されたチャンネルを受信するべく、受信部１１のチャンネルが設定される（Ｓ１０９）。次に、受信形態変更部２３４によって、受信部１１を介して１セグ放送が受信されているか否かの判定が行われる（Ｓ１１１）。１セグ放送が受信されていない（＝ＨＤ放送が受信されている）と判定された場合（Ｓ１１１でＮＯ）には、処理が図４に示すステップＳ１１５に進められる。１セグ放送が受信されていると判定された場合（Ｓ１１１でＹＥＳ）には、受信形態変更部２３４によって、受信部１１を介してＨＤ放送が受信される（Ｓ１１３）。
【００９２】
ステップＳ１１１でＮＯの場合、又は、ステップＳ１１３の処理が終了した場合には、図４に示すように、映像表示制御部２３５によって、ディスプレイ２１に予め設定された所定の領域（ここでは、図６（ｂ）に示すディスプレイ２１の画面右側に設定された映像表示部４３１）に受信された映像を拡大表示するべく、表示コントローラ２１１に対して指示情報が出力される（Ｓ１１５）。そして、文字取得部２３６によって、受信部１１を介して緊急放送に含まれる文字情報が取得される（Ｓ１１７）。次いで、文字表示制御部２３７によって、ステップＳ１１７において取得された文字情報を、ディスプレイ２１上の予め設定された所定の領域（ここでは、図６（ｂ）に示すディスプレイ２１の画面右上に設定された文字表示部４３２）に予め設定された文字サイズで（例えば、５ｍｍ×５ｍｍのサイズで）拡大表示するべく、表示コントローラ２１１に対して指示情報が出力される（Ｓ１１９）。
【００９３】
次に、放送判定部２３１によって、確認周期であるか否か（＝緊急放送があるか否かを判定タイミングであるか否か）の判定が行われる（Ｓ１２１）。確認周期ではないと判定された場合（Ｓ１２１でＮＯ）には、処理がステップＳ１１５に戻され、ステップＳ１１５以降の処理が繰り返し実行される。確認周期であると判定された場合（Ｓ１２１でＹＥＳ）は、放送判定部２３１によって、緊急放送が終了されたか否かの判定が行われる（Ｓ１２３）。緊急放送が終了されていないと判定された場合（Ｓ１２３でＮＯ）には、処理がステップＳ１１５に戻され、ステップＳ１１５以降の処理が繰り返し実行される。緊急放送が終了されたと判定された場合（Ｓ１２３でＹＥＳ）には、文字表示制御部２３７によって、ディスプレイ２１への文字情報の表示が終了される（Ｓ１２５）。
【００９４】
そして、映像表示制御部２３５によって、受信条件記憶部２４１に格納された表示位置情報及び表示サイズ情報にそれぞれ対応する位置及びサイズ（ここでは、図５（ａ）に示すディスプレイ２１の画面右上に設定された領域４０１）で映像を表示するべく、表示コントローラ２１１に対して指示情報が出力される（Ｓ１２７）。次いで、受信形態変更部２３４によって、受信部１１を介して受信条件記憶部２４１に格納されたセグメント情報に対応する放送形態（１セグ放送又は複数セグメント放送）で受信される（Ｓ１２９）。次に、チャンネル設定部２３３によって、受信部１１に対して受信条件記憶部２４１に格納されたチャンネル情報に対応するチャンネル（＝緊急放送を受信する前に設定されていたチャンネル）が設定され（Ｓ１３１）、処理が図３に示すステップＳ１０１に戻され、ステップＳ１０１以降の処理が繰り返し実行される。
【００９５】
図５、図６は、図４に示すステップＳ１１５〜Ｓ１１７においてディスプレイ２１に表示される画面の一例を示す画面図である。図５（ａ）は、緊急放送が受信されていない場合にディスプレイ２１に表示される画面４００であり、図６（ｂ）は、緊急放送が受信されている場合にディスプレイ２１に表示される画面４３０であり、図５（ｂ）、及び、図６（ａ）は、緊急放送が受信されている場合にディスプレイ２１に表示される他の形態の画面４１０、４２０である。
【００９６】
図５（ａ）に示すように、緊急放送が受信されていない場合には、画面４００の右上部に、映像表示部４０１が表示されている。映像表示部４０１は、受信部１１を介して１セグ放送が受信されている場合に映像を好適に表示する狭い領域（例えば、４０ｍｍ×６０ｍｍ）である。
【００９７】
図６（ｂ）に示すように、緊急放送が受信されている場合には、画面４３０の右側に、映像表示部４３１が表示され、映像表示部４３１の上部に、文字表示部４３２が表示されている。映像表示部４３１は、受信部１１を介してＨＤ放送が受信されている場合に映像を好適に表示する広い領域（例えば、２００ｍｍ×３００ｍｍ）である。文字表示部４３２は、緊急放送に含まれる文字情報を予め設定された文字サイズで（例えば、５ｍｍ×５ｍｍのサイズで）表示するものである。
【００９８】
図５（ｂ）または図６（ａ）に示すように、緊急放送が受信されている場合には、図６（ｂ）に示す画面４３０に代えて、画面４１０または画面４２０を表示する形態としてもよい。図５（ｂ）に示す画面４１０には、右側に、映像表示部４１１が表示されている。映像表示部４１１は、受信部１１を介してＨＤ放送が受信されている場合に映像を好適に表示する広い領域（例えば、２００ｍｍ×３００ｍｍ）である。
【００９９】
図６（ａ）に示す画面４２０には、右上部に、映像表示部４２１が表示され、映像表示部４２１の下側に、文字表示部４２２が表示されている。映像表示部４２１は、受信部１１を介して１セグ放送が受信されている場合に映像を好適に表示する狭い領域（例えば、４０ｍｍ×６０ｍｍ）である。文字表示部４２２は、緊急放送に含まれる文字情報を予め設定された文字サイズで（例えば、５ｍｍ×５ｍｍのサイズで）表示するものである。
【０１００】
このようにして、受信部１１により、１セグメント放送及び複数セグメント放送（＝ＳＤ放送又はＨＤ放送）の一方が選択して受信され、受信部１１を介して受信可能な緊急放送があるか否かが判定される。そして、受信可能な緊急放送があると判定された場合に、受信部１１を介して複数セグメント放送が受信されるため、画質が充分な映像を表示することが可能となるので、緊急放送の文字情報等の視認性を確保することが可能となる。
【０１０１】
また、複数セグメント放送が、４セグメントの標準画質放送（＝ＳＤ放送）または１２セグメント放送の高品位画質放送（＝ＨＤ放送）であるため、緊急放送の文字情報等の視認性を確保することが可能となる。
【０１０２】
すなわち、受信可能な緊急放送があると判定された場合に、受信部１１を介して４セグメントの標準画質放送または１２セグメントの高品位画質放送が受信されるため、緊急放送の文字情報等の視認性を確保することが可能となるのである。
【０１０３】
更に、ＴＭＣＣに基づいて、受信可能な緊急放送があるか否かが判定されるため、緊急放送があるか否かを正確に判定することができる。
【０１０４】
すなわち、ＴＭＣＣに基づいて、受信可能な緊急放送があるか否かが判定され、ＴＭＣＣには、緊急放送が行われているか否かを示す情報が含まれているため、緊急放送があるか否かを正確に判定することができるのである。
【０１０５】
加えて、受信可能な緊急放送があると判定された場合に、ディスプレイ２１に予め設定された所定の領域（ここでは、図６（ｂ）に示す映像表示部４３１）に受信された映像を表示するべく、表示コントローラ２１１に対して指示情報が出力されるため、緊急放送の文字情報等の視認性を確保することができる。
【０１０６】
すなわち、受信可能な緊急放送があると判定された場合に、ディスプレイ２１に予め設定された所定の領域に受信された映像を表示するべく、表示コントローラ２１１に対して指示情報が出力されるため、予め設定された所定の領域を、視認性を確保するために必要な充分に広い領域に設定しておくことによって、緊急放送の文字情報等の視認性を確保することができるのである。
【０１０７】
つまり、受信可能な緊急放送があると判定された場合に、画質が充分な映像が充分に広い領域に拡大表示されるため、緊急放送の文字情報等の視認性を確保することができるのである。
【０１０８】
また、受信可能な緊急放送があると判定された場合に、受信可能な緊急放送がある周波数帯域であるチャンネルが特定されるため、緊急放送を視聴することが可能となる。
【０１０９】
すなわち、受信可能な緊急放送があると判定された場合に、受信可能な緊急放送がある周波数帯域であるチャンネルが特定されるため、ユーザが特定されたチャンネルを選択する等によって、緊急放送を視聴することができるのである。
【０１１０】
更に、受信部１１によって受信されたＰＭＴに基づいて受信可能な緊急放送が放送されているチャンネルが特定されるため、正確に緊急放送が放送されているチャンネルを特定することができる。
【０１１１】
すなわち、受信部１１によって受信されたＰＭＴに基づいて受信可能な緊急放送が放送されているチャンネルが特定され、ＰＭＴには、緊急放送が放送されているチャンネルを示す情報が含まれているため、正確に緊急放送が放送されているチャンネルを特定することができるのである。
【０１１２】
加えて、受信部１１に対して緊急放送が放送されているチャンネルに設定されるため、緊急放送が放送されているチャンネルをユーザが選択する必要がないので、利便性良好に緊急放送を視聴することができる。
【０１１３】
また、受信可能な緊急放送があると判定された場合に、受信部１１を介して緊急放送に含まれる文字情報が取得され、取得された文字情報をディスプレイ２１に予め設定された所定の領域（図６（ｂ）に示す文字表示部４３２）に予め設定された文字サイズ（ここでは５ｍｍ×５ｍｍのサイズで）で表示するべく、表示コントローラ２１１に対して指示情報が出力されるため、緊急放送の文字情報の視認性を更に確実に確保することができる。
【０１１４】
すなわち、受信可能な緊急放送があると判定された場合に、受信部１１を介して緊急放送に含まれる文字情報が取得され、取得された文字情報をディスプレイ２１に予め設定された所定の領域に予め設定された文字サイズで表示するべく、表示コントローラ２１１に対して指示情報が出力されるため、所定の領域を充分な広さの領域に設定し、表示する文字サイズを充分な大きさに設定することによって、緊急放送の文字情報の視認性を更に確実に確保することができるのである。
【０１１５】
なお、緊急放送受信時における受信形態の自動切換処理、ないし、文字情報の自動拡大表示処理については、図３、図４に示したフローチャートのほか、図７（ａ）、（ｂ）に示すフローチャートに従うものとしてもよい。
【０１１６】
図７（ａ）、（ｂ）は、デジタル放送受信システム（主にＣＰＵ２３）の動作の別の一例を示すフローチャートである。なお、図７（ａ）は、緊急放送受信時における受信形態の自動切換処理を説明するためのものであり、図７（ｂ）は、緊急放送受信時における文字情報の自動拡大表示処理を説明するためのものである。
【０１１７】
図７（ａ）に示すように、ステップＳ２０１では、緊急放送の発生を定期的に監視するため、所定の確認周期であるか否かの判断が行われる。ここで、所定の確認周期であると判断された場合には、フローがステップＳ２０２に進められる。一方、所定の確認周期でないと判断された場合には、一連のフローが終了される。
【０１１８】
ステップＳ２０１にて、所定の確認周期であると判断された場合、ステップＳ２０２では、緊急放送が発生中であるか否かの判断が行われる。ここで、緊急放送が発生中であると判断された場合には、フローがステップＳ２０３に進められる。一方、緊急放送が発生中でないと判断された場合には、フローがステップＳ２０６に進められる。
【０１１９】
ステップＳ２０２にて、緊急放送が発生中であると判断された場合、ステップＳ２０３では、緊急情報ビットが「１」であるか否かの判断が行われる。ここで、緊急情報ビットが「１」でないと判断された場合には、現在発生中の緊急放送は、受信形態の自動切換処理によってその視認性が高められた状態（つまり、複数セグメント放送の受信が選択されている状態）で、ユーザに確認されたものではないという認識の下、フローがステップＳ２０４に進められる。一方、緊急情報ビットが「１」であると判断された場合には、現在発生中の緊急放送は、受信形態の自動切換処理によってその視認性が高められた状態で、既にユーザに確認されたものであるという認識の下、一連のフローが終了される。
【０１２０】
ステップＳ２０３にて、緊急情報ビットが「１」でないと判断された場合、ステップＳ２０４では、現在の放送受信モードが１セグモード（１セグ放送を受信するモード）であるか否かの判断が行われる。ここで、現在の放送受信モードが１セグモードであると判断された場合には、フローがステップＳ２０５に進められる。一方、現在の放送受信モードが１セグモードでないと判断された場合には、現在の放送受信モードが既に複数セグメントモード（複数セグメント放送を受信するモード）であり、受信形態を切り換える必要はないという認識の下、一連のフローが終了される。
【０１２１】
ステップＳ２０４にて、放送受信モードが１セグモードであると判断された場合、ステップＳ２０５では、放送受信モードが１セグモードから複数セグメントモードに自動的に切り換えられ、さらに緊急情報ビットが「１」とされた後、一連のフローが終了される。このような受信形態の自動切換処理により、緊急放送の文字情報等の視認性を確保することが可能となる。
【０１２２】
また、受信形態の自動切換処理に伴って、緊急情報ビットを「１」とすることにより、現在の緊急放送を複数セグメントモードで確認済みである経歴を残すことができる。このような緊急情報ビット（緊急放送の確認フラグ）を用いる構成であれば、緊急放送の発生に伴い、受信形態の自動切換処理が実施された後に、ユーザが他のチャンネルを選択する操作を行い、再び１セグ放送が受信されているような場合であっても、上記した受信形態の自動切換処理が繰り返されることはないので、ユーザにとって使い勝手がよい。
【０１２３】
一方、ステップＳ２０２にて、緊急放送が発生していないと判断された場合、ステップＳ２０６では、緊急情報ビットが「０」とされた後、一連のフローが終了される。
【０１２４】
なお、緊急放送受信時における文字情報の自動拡大表示処理を行う場合についても、基本的なフロー（ステップＳ２０１〜Ｓ２０３、及び、ステップＳ２０６）は、図７（ａ）と同様であり、図７（ｂ）に示すように、ステップＳ２０４’にて、現在発生中の緊急放送に関して、文字情報の拡大表示が行われている状態か否かの判断を行い、当該状態ではないと判断された場合には、ステップＳ２０５’にて、現在発生中の緊急放送から文字情報のみを抽出してその拡大表示を行う構成とすれば足りる。
【０１２５】
また、本発明は、以下の形態（Ａ）〜（Ｅ）にも適用可能である。
【０１２６】
（Ａ）上記の実施形態では、放送受信装置が、デジタル方式のテレビジョン放送のみを受信するデジタル放送受信機１である場合について説明したが、放送受信装置が、デジタル方式のテレビジョン放送及びアナログ方式のテレビジョン放送を両方とも受信する放送受信機である形態でもよい。
【０１２７】
（Ｂ）上記の実施形態では、デジタル放送受信機１がパーソナルコンピュータ２と別の筐体である場合について説明したが、デジタル放送受信機１がパーソナルコンピュータ２と一体として構成されている形態でもよい。この場合には、デジタル放送受信機１とパーソナルコンピュータ２との間の通信が不要となるため、処理が簡略化される。
【０１２８】
図８は、デジタル放送受信機がパーソナルコンピュータと一体として構成された場合の構成の一例を示す構成図である。図８に示す構成のうち、図１に示す構成と同一のものについては、同一の参照符号を付すことで、その説明を省略する。図８に示すように、本形態（Ｂ）の場合には、図１に示すバス１６と、バス２９と、が接続され、一体のバス２９Ａとして構成されている。また、ＣＰＵ１２及びＣＰＵ２３の機能は全て、ＣＰＵ２３Ａによって一元的に実現されている。すなわち、ＣＰＵ２３の放送判定部２３１、チャンネル特定部２３２、チャンネル設定部２３３、受信形態変更部２３４、映像表示制御部２３５、文字取得部２３６、文字表示制御部２３７等の機能部は、ＣＰＵ２３Ａによって実現されている。また、メモリ２４の受信条件記憶部２４１等の機能部は、メモリ２４Ａによって実現されている。なお、ＲＡＭ１３に格納される情報は、メモリ２４Ａに格納されている。
【０１２９】
（Ｃ）上記の実施形態では、ＣＰＵ２３が、放送判定部２３１、チャンネル特定部２３２、チャンネル設定部２３３、受信形態変更部２３４、映像表示制御部２３５、文字取得部２３６、文字表示制御部２３７等の機能部として機能する場合について説明したが、放送判定部２３１、チャンネル特定部２３２、チャンネル設定部２３３、受信形態変更部２３４、映像表示制御部２３５、文字取得部２３６、及び、文字表示制御部２３７のうち、少なくとも一の機能部が、回路等のハードウェアによって構成されている形態でもよい。
【０１３０】
（Ｄ）上記の実施形態では、デジタル放送受信機１において、１セグ放送と複数セグメント放送のどちらかを選択してデコードし、これをパーソナルコンピュータ２へ転送する構成を例に挙げて説明を行ったが、本発明の構成はこれに限定されるものではなく、ハードウェアの構成を変更することにより、デジタル放送受信機１において、１セグ放送と複数セグメント放送の両方を同時にデコードし、これをパーソナルコンピュータ２へ転送することも可能である。
【０１３１】
（Ｅ）上記の実施形態では、パーソナルコンピュータ２に搭載されるＣＰＵ２３を主体として、緊急放送受信時における受信形態の自動切換処理、ないし、文字情報の自動拡大表示処理を行う構成（言い換えれば、本発明に係る諸機能を実現する手段をパーソナルコンピュータ２側に集約した構成）を例に挙げて詳細な説明を行ったが、本発明の構成はこれに限定されるものではなく、デジタル放送受信機１をパーソナルコンピュータ２に外付けとした上で、デジタル放送受信機１に搭載されるＣＰＵ１２を主体として、上記と同様の処理を行う構成としても構わない。
【０１３２】
当該形態（Ｅ）を採用する場合には、パーソナルコンピュータ２に搭載されるＣＰＵ２３ではなく、デジタル放送受信機１に搭載されるＣＰＵ１２を用いて、図９に示す形で、放送判定部１２１、チャンネル特定部１２２、チャンネル設定部１２３、受信形態変更部１２４、映像表示制御部１２５、文字取得部１２６、文字表示制御部１２７等の機能部が実現されることになる。また、メモリ２４に格納される情報は、ＲＡＭ１３に格納される形となる。すなわち、ＲＡＭ１３を用いて、図９に示す形で、受信条件記憶部１３１等の機能部が実現されることになる。
【０１３３】
すなわち、ＣＰＵ１２が、図略のＲＯＭ等に予め格納された制御プログラムを読み出して実行することにより、放送判定部１２１、チャンネル特定部１２２、チャンネル設定部１２３、受信形態変更部１２４、映像表示制御部１２５、文字取得部１２６、文字表示制御部１２７等の機能部として機能すると共に、ＲＡＭ１３を、受信条件記憶部１３１等の機能部として機能させるものである。
【０１３４】
要するに、本発明の実施に際して、緊急放送受信時における受信形態の自動切換処理、ないし、文字情報の自動拡大表示処理を行う主体は、デジタル放送受信機１、及び、パーソナルコンピュータ２のいずれであってもよく、外付けチューナモジュール（放送受信装置）のほか、上記の各処理を実現し得る放送受信方法、放送受信システム、並びに、パーソナルコンピュータ（チューナモジュールを接続するとともに、ＴＶ制御用プログラムがインストールされたもの）のいずれについても、本発明の技術的範囲に属すると言える。
【産業上の利用可能性】
【０１３５】
本発明は、デジタル放送の受信が可能な放送受信方法、放送受信システム、パーソナルコンピュータ、及び、放送受信装置（チューナモジュール）に利用することができる。
【図面の簡単な説明】
【０１３６】
【図１】は、本発明に係るデジタル放送受信機の構成の一例を示す構成図である。
【図２】は、本発明に係るデジタル放送受信システムにおける主要部の機能構成の一例を示すブロック図である。
【図３】は、デジタル放送受信システム（主にＣＰＵ２３）の動作の一例を示すフローチャート（前半部）である。
【図４】は、デジタル放送受信システム（主にＣＰＵ２３）の動作の一例を示すフローチャート（後半部）である。
【図５】は、図４に示すステップＳ１１５〜Ｓ１１７においてディスプレイ２１に表示される画面の一例を示す画面図である。
【図６】は、図４に示すステップＳ１１５〜Ｓ１１７においてディスプレイ２１に表示される画面の他の一例を示す画面図である。
【図７】は、デジタル放送受信システム（主にＣＰＵ２３）の動作の別の一例を示すフローチャートである。
【図８】は、デジタル放送受信機がパーソナルコンピュータと一体として構成された場合の構成の一例を示す構成図である。
【図９】は、本発明に係るデジタル放送受信システムにおける主要部の機能構成の別の一例を示すブロック図である。
【符号の説明】
【０１３７】
１    デジタル放送受信機（放送受信装置）
１１    受信部（受信手段）
１１２    チューナ部
１２    ＣＰＵ
１３    ＲＡＭ
２    パーソナルコンピュータ
２１    ディスプレイ（モニタ）
２２    スピーカ
２３    ＣＰＵ
２３１    放送判定部（放送判定手段）
２３２    チャンネル特定部（チャンネル特定手段）
２３３    チャンネル設定部（チャンネル設定手段）
２３４    受信形態変更部（受信形態変更手段）
２３５    映像表示制御部（映像表示制御手段）
２３６    文字取得部（文字取得手段）
２３７    文字表示制御部（文字表示制御手段）
２４    メモリ
２４１    受信条件記憶部
２６    キーボード
【図１】
0004889583.tif 000002
【図２】
0004889583.tif 000003
【図３】
0004889583.tif 000004
【図４】
0004889583.tif 000005
【図５】
0004889583.tif 000006
【図６】
0004889583.tif 000007
【図７】
0004889583.tif 000008
【図８】
0004889583.tif 000009
【図９】
0004889583.tif 000010